(57)【特許請求の範囲】
【請求項１】
複数個の電池を一列に収納する電池包装用ケースであって、
電池配列方向の一端側に形成された未使用電池の取出口と、
前記電池配列方向の他端側に形成された使用済み電池の収納口と、
このケース内にて電池の移動に伴って移動するとともに、当該ケース内を未使用電池領域と使用済み電池領域とに区分けする機能を有する標識部材と、
を備え、
前記標識部材は、電池１個分を収納する筒状体から成るとともに、前記未使用電池領域側と前記使用済み電池領域側とを区別する区別表示が付され、このケースの内部で移動する状態がケース正面から視認できるように構成されている
ことを特徴とする電池包装用ケース。
【請求項２】
請求項１に記載の電池包装用ケースにおいて、前記筒状体の一部に、前記ケースの正面側から内部の電池を視認しうる視認用小窓が設けられていることを特徴とする電池包装用ケース。
【請求項３】
請求項１または２記載の電池包装用ケースにおいて、前記ケースの正面に、前記ケース内部を移動する前記標識部材の位置を確認するための視認窓が形成されていることを特徴とする電池包装用ケース。
【請求項４】
請求項１乃至３のいずれか１項に記載の電池包装用ケースにおいて、前記未使用電池の取出口及び使用済み電池の収納口は、前記電池をその軸方向に抜き差しできるように、前記電池の配列方向と直交する方向のケース面に形成されていること
を特徴とする電池包装用ケース。
【請求項５】
請求項１乃至３のいずれか１項に記載の電池包装用ケースにおいて、前記未使用電池の取出口及び使用済み電池の収納口は、前記電池をその軸方向と直交する方向に抜き差しできるように、前記電池のケース正面またはケース背面に形成されていることを特徴とする電池包装用ケース。
【請求項６】
請求項４または５記載の電池包装用ケースにおいて、前記未使用電池の取出口及び使用済み電池の収納口には開閉蓋が設けられていることを特徴とする電池包装用ケース。
【請求項７】
請求項５記載の電池包装用ケースにおいて、前記未使用電池の取出口側の端部に、ケース内の未使用電池を指で押し出して前記取出口より突出させる操作用小窓が設けられていることを特徴とする電池包装用ケース。
【発明の詳細な説明】
【０００１】
【発明の属する技術分野】
本発明は、電池包装用ケース、特に複数本の乾電池を収納して販売することができ、かつ、購入したユーザが、ケース内に収納された乾電池の使用・未使用の識別管理を容易に行うことのできる電池包装用ケースに関するものである。
【０００２】
【従来の技術】
従来、乾電池の梱包形態として、熱収縮チューブで複数個の乾電池を横一列に被包緊縛し、パッケージ化した状態で販売する形態や、乾電池を台座シート部とこれに張り合わせたカップ部との間で包装し、店頭で吊り下げて販売する、いわゆるブリスター包装などの形態が採用されている。
【０００３】
このようなパッケージによる販売形態は、多数の電池を使用する器具に合わせた電池の販売手段として極めて好ましいものである。つまり、消費者にとっては、自己が所有する電気器具が必要とする電池の個数に応じた数のパッケージを選べ、その中身の電池も比較的均質である利点がある。また、電池交換の際に未使用電池と使用済み電池の混同がなく、使用済み電池を器具から取り外した後に、熱収縮チューブやブリスターカップを破り、新たな電池を器具内に装填すれば間違いのないものとなる。さらには１つの電池自体が、転がることもないので、購入時の持ち運びにも便利である。 また、販売者にとっても、転がらないために山積みでき、搬送も便利であり、さらにはパッケージ化することによって売り上げ個数も伸ばすことができる。
【０００４】
【発明が解決しようとする課題】
しかしながら、従来の包装形態では、電池パッケージを購入したユーザがパッケージを開封すると、複数の電池がバラバラになり、すぐに使う電池以外の電池も包装から出てしまうため、他の電池と一緒にすると、未使用の乾電池であるのか、使用済の乾電池であるのかの区別ができなくなる、という問題がある。
【０００５】
従って、例えば、自己が欲する単位本数の電池パッケージよりも単位本数の多い電池パッケージを購入した場合、ユーザは、電池交換などの際に、未使用電池と使用済み電池とを、混同が生じないように自ら管理しなければならい。しかし、実際に、この管理がユーザ側でうまく行えるとは限らないのが実情である。
【０００６】
また、乾電池が未使用品であるか使用済み品であるかは、見た目だけでは判断できないので、専用の測定機器を使用して使用・未使用を確認することも考えられるが、確認の為にわざわざ測定機器を購入するのは大変である。また、購入しても小さな子供や電気関係に弱い人にとっては、測定機器を使うこと自体が大変な作業となる。
【０００７】
そこで、本発明の目的は、上記課題を解決し、複数本の乾電池を収納して販売することができ、かつ、購入したユーザが、ケース内に収納された乾電池の使用・未使用の区別管理を容易に行うことのできる電池包装用ケースを提供することにある。
【０００８】
【課題を解決するための手段】
上記目的を達成するため、本発明は、次のように構成したものである。請求項１の発明に係る電池包装用ケースは、複数個の電池を一列に収納する電池包装用ケースであって、
電池配列方向の一端側に形成された未使用電池の取出口と、
前記電池配列方向の他端側に形成された使用済み電池の収納口と、
このケース内にて電池の移動に伴って移動するとともに、当該ケース内を未使用電池領域と使用済み電池領域とに区分けする機能を有する標識部材と、
を備え、
前記標識部材は、電池１個分を収納する筒状体から成るとともに、前記未使用電池領域側と前記使用済み電池領域側とを区別する区別表示が付され、このケースの内部で移動する状態がケース正面から視認できるように構成されている
ことを特徴とする。
本発明において、識別部材をケース正面から視認できる構成は、例えばケースを透明としたり、ケースに窓を設けることで実現することができる。ケースを構成する材料には、プラスチックや、紙等の任意の公知材料を用いることができる。
【０００９】
＜作用＞
この電池包装用ケースは電池の取出口と収納口の２カ所の口を備えている。この電池包装用ケースによる電池パッケージを購入したユーザは、その取出口から使用個数分、例えば１個の未使用電池を取り出す。すると取り出した後の部分に、取り出した電池個数分だけの空間がケース内にできる。ここでケースが予め取出口を下にして配置されているか、又は取出口が下になるように傾けられると、ケース内を電池が識別部材と共に移動し、これにより反対側の収納口側に取り出した電池個数分だけの空間がケース内にできる。そこで、この空間内に収納口から使用済み電池を入れ、ケース内に収納する。この未使用電池の取り出しと使用済み電池の収納の操作を、電池交換の度に繰り返し、全てが使用済み電池となるまで続ける。この間、未使用電池の取り出しと使用済み電池の収納の操作の度に、識別部材が、電池の移動と共にケース内を使用単位電池分だけ歩進移動して行く。そして、この識別部材は、その識別部材よりケース内部の一側を未使用電池領域とし、他側を使用済み電池領域として区分けする働きをする。つまり、識別部材を境として、ケース内の片方に未使用電池群があり、もう片方に使用済み電池群が収まった状態となるため、ケース内の電池につき、簡単にその使用・未使用の本数を管理することができる。このように本発明の電池包装用ケースは、ケース内の電池の使用・未使用を区別し管理する機能を備えるものである。
そして、識別部材に未使用電池領域側と使用済み電池領域側とを区別する区別表示、例えば領域側を明らかにする矢印や使用済・未使用の別を明らかにする文字等を付することにより、同一ケース内にある未使用電池と使用済み電池を、一目で明確に区別することができる。
なお、ここにいう筒状体の概念には、断面が長方形、円のように閉ループ状の形状のものの他、断面がコ字状、Ｃ字状などの開ループ状の形状のものも含まれる。このように識別部材を、電池１個分を収納する筒状体として構成することにより、識別部材がケース内の空間を無駄に占有する事態を無くすことができると共に、識別部材たる筒状体を、その筒状体内部の電池の重量を利用して、電池群の移動と共に円滑に移動させることができる。
【００１０】
請求項２の発明は、請求項１記載の電池包装用ケースにおいて、前記筒状体の一部に、前記ケースの正面側から内部の電池を視認しうる視認用小窓が設けられていることを特徴とする。このように筒状体に視認用小窓を設けることにより、筒状体の内部に電池が存在するか否かを確認することができる。
【００１１】
請求項３の発明は、請求項１または２記載の電池包装用ケースにおいて、前記ケースの正面に、前記ケース内部を移動する識別部材の位置を確認するための視認窓が形成されていることを特徴とする。この特徴によれば、ケースを紙などの不透明体で構成した場合でも、ケース内部を移動する識別部材をケース正面から視認することができる。
【００１２】
請求項４の発明は、請求項１乃至３のいずれか１項に記載の電池包装用ケースにおいて、前記未使用電池の取出口及び使用済み電池の収納口は、前記電池をその軸方向に抜き差しできるように、前記電池の配列方向と直交する方向のケース面に形成されていることを特徴とする。この特徴によれば、横長ケースの長手方向一端面及び他端面に電池の取出口及び収納口を形成した場合に較べ、電池包装用ケースの構造を強くすることができる。すなわち、電池を抜き差しする場合、電池はケース内部を配列方向に転がってケースの長手方向端面（横長に置いた場合は左側面又は右側面、縦長に置いた場合は上面と下面）に当って衝撃を加えることがある。そこで、電池の取出口及び収納口を、電池の配列方向と直交するケース面であって、電池をその軸方向に抜き差しできる面、つまりケースを横長に置いた場合の上面又は下面（縦長に置いた場合は両側面）に形成すると、上記の衝撃が加わる箇所に電池の取出口及び収納口が存在するという不合理がなくなり、電池の重みでケースの口が開いてケースから電池が抜け落ちるという事態を防止することができる。
【００１３】
請求項５の発明は、請求項１乃至３のいずれか１項に記載の電池包装用ケースにおいて、前記未使用電池の取出口及び使用済み電池の収納口は、前記電池をその軸方向と直交する方向に抜き差しできるように、前記電池のケース正面またはケース背面に形成されている。これによって、電池の筒部の中央を指先で把持して電池を取出口からそして収納口へ容易に出し入れすることができる。
【００１４】
請求項６の発明は、請求項４または５記載の電池包装用ケースにおいて、前記未使用電池の取出口及び使用済み電池の収納口には開閉蓋が設けられていることを特徴とする。このように、開閉蓋を設けることにより、未使用電池の取出口及び使用済み電池の収納口から電池が抜け出してしまうことを防止することができる。
【００１５】
請求項７の発明は、請求項５記載の電池包装用ケースにおいて、前記未使用電池の取出口側の端部に、ケース内の未使用電池を指で押し出して前記取出口より突出させる操作用小窓が設けられていることを特徴とする
【００１８】
【発明の実施の形態】
以下、本発明を図示の実施形態に基づいて説明する。
図１及び図２は本発明の好適な第１の実施形態を示し、図において１は電池包装用ケースであり、複数個の乾電池２０を横一列に収納することができる形状寸法を有する。
【００１９】
この実施形態の場合、電池包装用ケース１は紙製であり、計８個の乾電池２０を横一列に収納する長方形の箱形に形成され、ケース内面には、紙に含有される湿気により乾電池の短絡経路が形成されないように、絶縁材料が塗布されている。この絶縁材料のコーティングは、ケース内面の内乾電池の電極部分に施されていれば足りるが、ここではケース内面の全面に施されている。
【００２０】
電池包装用ケース１は、その電池配列方向の一端側に形成した未使用電池の取出口２と、他端側に形成した使用済み電池の収納口３とを有する。この未使用電池の取出口２と使用済み電池の収納口３は、電池をその軸方向に抜き差しできるように、電池の配列方向と直交する方向のケース面、ここでは図１の如く横置きしたケースの上面に形成されている。しかし、未使用電池の取出口２と使用済み電池の収納口３は、ケースを横長に置いた場合における下面、又は縦長に置いた場合における両側面に形成することもできる。なお、未使用電池の取出口２と使用済み電池の収納口３には、それぞれ開閉蓋４、５が設けられている。
【００２１】
このように未使用電池の取出口２及び使用済み電池の収納口３を乾電池２０の配列方向と直交するケース面であって、乾電池をその軸方向に抜き差しできる面、つまりケースを横長に置いた場合の上面又は下面（縦長に置いた場合は両側面）に形成すると、乾電池２０がケース内部を配列方向に転がった場合の衝撃を受け難くなるので、未使用電池の取出口２及び使用済み電池の収納口３をケースの長手方向端面（横長に置いた場合は左側面又は右側面、縦長に置いた場合は上面と下面）に形成した場合に較べ、乾電池２０がケースから抜け落ちなくなる。
【００２２】
電池包装用ケース１の内部には、ケース内に乾電池２０の移動に伴って移動する識別部材１０が、乾電池間に位置するように配設され、その識別部材１０よりケース内部の一側を未使用電池領域とし、他側を使用済み電池領域として区別するようになっている。そして、このケース内部を移動する識別部材１０を、ケース正面に設けた視認窓６からから視認できるようになっている。
【００２３】
識別部材１０は、乾電池１個分を収納する筒状体から成る。この実施形態の場合、筒状体は紙片を折り曲げて形成した断面がコ字状のものから構成されているが、Ｃ字状などの開ループ状の形状のものや、断面が長方形、円のように閉ループ状の形状のものであってもよい。
【００２４】
このように乾電池１個分を収納する筒状体として識別部材１０を構成すると、識別部材１０がケース内の空間を無駄に占有する事態を無くすことができると共に、筒状体内部の乾電池の重量を利用して、識別部材１０たる筒状体を、電池群の移動と共に円滑に移動させることができる。
【００２５】
識別部材１０の筒状体の表面には、未使用電池領域側と使用済み電池領域側とを区別する区別表示１１として、その領域側を明らかにする矢印と、使用済・未使用の別を明らかにする「使用済」「未使用」の文字が付されている。また、識別部材１０の筒状体には、その一部に、ケース正面側から筒状体内部の電池を視認しうる視認用小窓１２が設けられている。
【００２６】
上記電池包装用ケース１の正面に設けた視認窓６は、電池配列方向に横長に設けた長方形の窓として形成され、この視認窓６からケース内部を移動する識別部材１０の位置及び上記区別表示１１を視認でき、従って、識別部材１０を境にしていずれが未使用電池領域側でありいずれが使用済み電池領域側であるかを区別できるようになっている。また、この視認窓６は、識別部材１０の両側の乾電池群、特にそれらの表面に表示された商品名や商標名が視認できるようになっており、優れた商品公告機能を持つようになっている。
【００２７】
また、上記電池包装用ケース１には、そのケース正面における上記未使用電池の取出口２側の端部に、ケース内の未使用電池２０ａを指で押し出して未使用電池の取出口２より突出させる操作用小窓７が設けられ、これにより、未使用電池の取出口２が下側になるようにケースを傾けなくても、ケース内の未使用電池２０ａを指で押し出して、取り出すことができるようになっている。
【００２８】
次に、上記の如く構成された電池包装用ケースの作用について説明する。
店頭で販売される形態では、電池包装用ケース１内に未使用乾電池が８個横一列に入れられ、未使用電池の取出口２も使用済み電池の収納口３も封止され、視認窓６から内部の乾電池群と識別部材１０の一部が見えている状態にある。また、操作用小窓７や視認用小窓１２からも内部の乾電池の存在が確認される。なお、識別部材１０は、販売時の最初の形態では、最も使用済み電池の取出口２側に寄った位置に在る。
【００２９】
ここで、この電池パッケージを購入したユーザが、電池包装用ケース１から、使用個数分、例えば図１の如く１個の未使用乾電池２０ａを取り出し、１個の使用済み乾電池２０ｂを収納する場合を想定する。
【００３０】
ユーザは、電池包装用ケース１の開閉蓋４、５をそのミシン目に沿って開き、操作用小窓７から指で未使用乾電池２０ａを操作して繰り出し、上記未使用電池の取出口２から、図１の如く使用個数分の１個の未使用乾電池２０ａを取り出す。すると、ケース１の前面を除去した図２に示すように、取り出した後の部分に、取り出した電池個数分だけの空間８がケース内にできる。
【００３１】
ここでケース１が予め未使用電池の取出口２を下にして配置されているか、又は未使用電池の取出口２が下になるように傾けられたとすると、ケース内を乾電池２０が識別部材１０と共に移動する。このとき識別部材１０は、筒状体として形成され、かつ、内部に１個の乾電池が納められているので、その自重により円滑に乾電池と共に下方に移動する。そして、電池包装用ケース１には、反対側の使用済み電池の収納口３側に、取り出した電池個数分だけの空間９（ここでは１個分）がケース内にできる。
【００３２】
そこで、使用済み電池の収納口３から１個の使用済み乾電池２０ｂを挿入し、ケース内に収納する。なお、開閉蓋４、５は適宜閉じる。かくして乾電池１個分の未使用乾電池の取り出しと使用済み乾電池の収納の操作を終える。
【００３３】
電池交換の度に、この未使用乾電池の取り出しと使用済み乾電池の収納の操作が繰り返される。そして、上記操作を全部で８回繰り返すと、ケースの中は使用済み乾電池だけになる。
【００３４】
この間、識別部材１０がケース１内を使用単位電池分だけ歩進移動して行く。そして、この識別部材１０は、その識別部材１０がケース内に存在することにより、及び、それに区別表示１１の内容（矢印や文字等）が付されていることにより、当該識別部材１０よりケース内部の一側を未使用電池領域とし、他側を使用済み電池領域として区別する働きをする。従って、識別部材１０を境として、ケース内の片方に未使用乾電池２０ａがあり、もう片方に使用済み乾電池２０ｂが収まった状態となり、ユーザは、ケース内の乾電池につき、簡単にその使用・未使用の本数を区別し管理しておくことができる。
【００３５】
図３及び図４は本発明の第２の実施形態を示し、第１の実施形態と同一部分については同一番号を付して示した。この実施形態が第１の実施形態と異なる点は、ケース１を横長においた場合の電池の収納口３と電池の取出口２をそれぞれケースの左右両端部に形成し、これらの収納口３と取出口２の開閉蓋４，５をケースの前面の左右両端部における視認窓６側に折り曲げ自在に設けた設けた点である。そして、未使用乾電池２０ａを取り出す操作用小窓７を取出口２を画成するケースの背面部に形成している。その他の構成は実質的に第１の実施形態と同じである。なお、電池の収納口３と取出口２を各々ケースの背面に形成しても良い。
【００３６】
この第２の実施形態の電池包装用ケースでは、電池２０をケース１から取り出す際または収納する際に、電池の胴部中央を指先で挾んで把持することが出きるので、電池の取り出し及び収納操作が簡便に行えるようになる。
【００３７】
【発明の効果】
以上説明したように本発明によれば、次のような優れた効果が得られる。
【００３８】
（１）請求項１の発明に係る電池包装用ケースは、複数個の電池を一列に収納する電池包装用ケースであって、その電池配列方向の一端側に形成した未使用電池の取出口及び他端側に形成した使用済み電池の収納口と、ケース内に電池の移動に伴って移動するように識別部材を配設し、その標識部材はその一側を未使用電池領域とし他側を使用済み電池領域として区分けする機能を有し、このケース内部を移動する識別部材をケース正面から視認できるように構成したものである。
本発明によれば、未使用電池と使用済み電池の間に識別部材が存在し、この識別部材が、使用済み又は未使用の電池の本数につれて位置移動するため、それより未使用電池が後幾つあるのかを一目で判断することができる。また、識別部材により自動的に電池の使用・未使用の管理がなされる結果、使用途中で使用済と未使用の電池が混ざって困るという事がなくなり、誰でも簡単に乾電池の使用・未使用の確認と管理をなすことができる。
換言すれば、本発明の電池包装用ケースは、１つのケースに、取り出し機能・収納機能・区別機能を備えたケースであり、使用済み電池をケースの中に収納するだけで、見た目だけでは判断できない乾電池の使用・未使用の確認と管理を、使用者自身が簡単になすことができるものである。
また、未使用電池を取り出した後のケース内の空間を利用し、その空間を使用済み電池の収納口側に移動させて、そこに収納口から使用済み電池を収納する形態としているので、ケース内の空間を有効に活用することができるものである。
【００３９】
（２）請求項２の発明によれば、ケースの正面に視認窓を形成したので、ケースを紙などの不透明体で構成した場合でも、ケース内部を移動する識別部材をケース正面から視認することができる。
【００４０】
（３）請求項３の発明によれば、未使用電池の取出口及び使用済み電池の収納口を、電池をその軸方向に抜き差しできるように、電池の配列方向と直交する方向のケース面に形成したので、横長ケースの長手方向一端面と他端面に取出口及び収納口を形成した場合に較べ、電池包装用ケースの構造を強くすることができる。
【００４１】
（４）請求項４の発明によれば、電池２０をケース１から取り出す際または収納する際に、電池の胴部中央を指先で挾んで把持することが出きるので、電池の取り出し及び収納操作が簡便に行えるようになる。
【００４２】
（５）請求項５の発明によれば、開閉蓋を設けたので、未使用電池の取出口及び使用済み電池の収納口から電池が抜け出してしまうことを防止することができる。
【００４３】
（６）請求項６の発明によれば、ケースに操作用小窓を設けたので、取出口が下側になるようにケースを傾けなくても、ケース内の未使用電池を指で押し出して取り出すことができる。
【００４４】
（７）請求項７の発明によれば、識別部材に未使用電池領域側と使用済み電池領域側とを区別する区別表示を付したので、同一ケース内にある未使用電池と使用済み電池を、一目で明確に区別することができる。
【００４５】
（８）請求項８の発明によれば、識別部材を、電池１個分を収納する筒状体から構成したので、ケース内の空間を識別部材が無駄に占有する事態を無くし、かつ、筒状体内部の電池の重量を利用して、識別部材たる筒状体を、電池群の移動と共に円滑に移動させることができる。
【００４６】
（９）請求項９の発明によれば、筒状体の一部に視認用小窓を設けたので、筒状体の内部に電池が存在するか否かを確認することができる。
【図面の簡単な説明】
【図１】本発明の第１の実施形態に係る電池包装用ケースの外観を示す図である。
【図２】第１の実施形態に係る電池包装用ケースの前面を除去してその内部構造を示す図である。
【図３】本発明の第２の実施形態に係る電池包装用ケースの外観を示す図である。
【図４】第２の実施形態に係る電池包装用ケースの前面を除去してその内部構造を示す図である。
【符号の説明】
１  電池包装用ケース
２  未使用電池の取出口
３  使用済み電池の収納口
４  開閉蓋
５  開閉蓋
６  視認窓
７  操作用小窓
８  空間
９  空間
１０  識別部材
１１  区別表示
１２  視認用小窓
２０  乾電池
２０ａ  未使用乾電池
２０ｂ  使用済み乾電池
【図１】
0004435973.tif 000002
【図２】
0004435973.tif 000003
【図３】
0004435973.tif 000004
【図４】
0004435973.tif 000005